(57)【要約】【課題】正確でない情報が不揮発性メモリに何度も格納されることを防ぎ、不揮発性メモリを保護する。【解決手段】デジタルラジオ受信機は、受信した情報を不揮発性メモリ１に格納する制御手段３を具え、該制御手段３は、先に不揮発性メモリ１に格納された情報を新たに受信した情報に更新する機能を具えている。制御手段３には、受信した情報を一時的に格納するＲＡＭ２が接続され、制御手段３は受信した情報を、一度ＲＡＭ２に格納し、情報受信を繰り返して、受信した情報がＲＡＭ２内の情報と一致したときに、該ＲＡＭ２内の情報又は受信した情報を、不揮発性メモリ１に格納する機能を有する。【選択図】    図２
2004328297.tif 000002
【特許請求の範囲】
【請求項１】
受信した情報を不揮発性メモリ（１）に格納する制御手段（３）を具え、該制御手段（３）は、先に不揮発性メモリ（１）に格納された情報を新たに受信した情報に更新する機能を具えた情報受信装置に於いて、
制御手段（３）には、受信した情報を一時的に格納するＲＡＭ（２）が接続され、制御手段（３）は受信した情報を、一度ＲＡＭ（２）に格納し、引き続いて情報受信を少なくとも１回行い、受信した情報がＲＡＭ（２）内の情報と一致したときに、該ＲＡＭ（２）内の情報又は受信した情報を、不揮発性メモリ（１）に格納する機能を有することを特徴とする情報受信装置。
【請求項２】
情報は放送局から送信され、不揮発性メモリ（１）又はＲＡＭ（２）に格納する情報は、放送局に関わる情報である請求項１に記載の情報受信装置。
【請求項３】
受信した情報を不揮発性メモリ（１）に格納する制御手段（３）を具え、制御手段（３）には、受信した情報を一時的に格納するＲＡＭ（２）が接続され、
受信した情報を、一度ＲＡＭ（２）に格納する工程と、
続いて情報受信を少なくとも１回行い、受信した情報がＲＡＭ（２）内の情報と一致することを確認する工程と、
受信した情報がＲＡＭ（２）内の情報と一致したときに、該ＲＡＭ（２）内の情報又は受信した情報を、不揮発性メモリ（１）に格納する工程を有する情報受信方法。
【発明の詳細な説明】
【０００１】
【発明の属する技術分野】
本発明は、情報受信装置、具体的にはデジタル放送の受信装置、及び情報受信方法に関する。
【０００２】
【従来の技術】
従来から、音声情報を主情報として、これに文字情報等が多重されたデジタルラジオ放送が提案されている（例えば、特許文献１参照）。音声情報はデジタル圧縮されて、人工衛星から又は地上波にて送信されており、受信機にてこれを伸長して聴取する。文字情報には、頻繁に更新されるものと、それほど頻繁に更新されないものがある。前者には、放送される音楽の曲名、歌手名等の音楽内容に関わるものがり、後者には放送される音楽のカテゴリ等の放送局に関わるものがある。音楽のカテゴリには、例えばクラシック、ポップス、ジャズがある。
図３は、従来のデジタルラジオ放送受信機の正面図である。受信機本体（４）には、受信した文字情報がスクロールされる、即ち文字情報が一側部から他側部に向けて流れるディスプレイ（４０）と、電源釦（４１）、複数のチャンネル釦（４２）（４２）が設けられている。電源釦（４１）をＯＮにし、所望のチャンネル釦（４２）（４２）を選択操作すると、該チャンネル釦（４２）に対応した音楽が受信され、音楽の内容又は放送される音楽のカテゴリ等の情報がディスプレイ（４０）にスクロールされる。例えば、１チャンネルの釦（４２）を押すと、６０年代ポップスが流れ、流れているのが６０年代ポップスである旨、曲名、歌手名がディスプレイ（４０）にスクロールされる。
【０００３】
図４は、従来のデジタルラジオ放送受信機の内部ブロック図である。アンテナ（５０）、チューナ（５１）を経て受信された放送波は、放送受信ＩＣ（５）に入力される。放送受信ＩＣ（５）にて放送波から音声信号と文字情報が復調される。放送受信ＩＣ（５）に繋がった制御手段（３）は、チャンネル釦（４２）（４２）からの入力を受けて、放送受信ＩＣ（５）を制御して、所望の放送を受信し、文字情報の内容をディスプレイ（４０）にスクロールする。制御手段（３）には、不揮発性メモリ（１）が接続され、前記の放送局に関わる情報を格納する。周知の如く、不揮発性メモリ（１）は、通電を遮断しても、格納した情報を保持し続ける。
放送される音楽の曲名、歌手名等の音楽内容に関わる情報は、聴取者のニーズに合わせて頻繁に変更されているが、放送局に関わる情報は、放送局の番組編成時に変わるだけであり、それほど頻繁に変更されない。従って、放送局に関わる情報を不揮発性メモリ（１）に格納しておくとともに、制御手段（３）は定期的又は使用者の操作により、放送局に関わる情報をチェックし、不揮発性メモリ（１）内の情報と照合する。該放送局に関わる情報が変更されたときにのみ、不揮発性メモリ（１）内の情報を更新し、放送受信毎に、放送局に関わる情報を復調する手間を省いている。尚、一般的なデータ通信に於いて、メモリ内の情報を定期的に更新する旨の技術は、既に知られている（例えば、特許文献２参照）。
【０００４】
【特許文献１】
特開２００２−２１７７６１号（要約書）
【特許文献２】
特開２００２−９４５９６号（要約書）
【０００５】
【発明が解決しようとする課題】
斯種デジタルラジオ受信機は、カーラジオとして自動車に搭載されることがある。かかる車載用の受信機では、例えばトンネルや高層建造物の谷間を通過するときでは、受信電波が一部遮断され、受信状況が悪い。また、一般家屋内でも、周囲から障害電波が発せられると、受信状況が悪い。このときに受信した放送局に関わる情報を不揮発性メモリ（１）に格納すると、ノイズを含み、正確でない情報が不揮発性メモリ（１）に書き込まれるから、正しい情報を再度格納する必要がある。
不揮発性メモリ（１）には、書込み回数に制限があり、情報を不揮発性メモリ（１）に何度も格納すると、メモリ素子を損傷させる虞れがある。
不揮発性メモリ（１）の書込み回数に制限がある理由を、以下に示す。不揮発性メモリ（１）には、フラッシュメモリ、ＥＰＲＯＭ、Ｅ２ＰＲＯＭ等があるが、例えば、フラッシュメモリのセル構造は、図５（ａ）、（ｂ）に示される。これは、電子ｅ−を含む基板（６）にソース（６０）とドレイン（６１）を設け、該基板（６）上にトンネル膜（６２）、Ｆ（フローティング）ゲート（６３）、電子遮蔽膜（６４）、Ｃ（コントロール）ゲート（６５）を積層している。フラッシュメモリに情報を格納するときは、図５（ａ）に示すように、ドレイン（６１）に＋電圧を加えて、基板（６）上部の電子を活性化し、且つＣゲート（６５）に＋電圧を加えて、トンネル膜（６２）を通じてＦゲート（６３）に活性状態の電子ｅ−を取り込み、保持する。
フラッシュメモリから情報を消去するときは、図５（ｂ）に示すように、Ｃゲート（６５）に−電圧を加え、且つソース（６０）に＋電圧を加えて、Ｆゲート（６３）内の電子ｅ−をソース（６０）に引き抜く。
かかる構造により、情報を不揮発性メモリ（１）に何度も格納すると、電子ｅ−の往来により、Ｆゲート（６３）、トンネル膜（６２）を損傷させ、メモリとしての特性が低下する。従って、不揮発性メモリ（１）の書込み回数には、制限がある。
本発明の目的は、正確でない情報が不揮発性メモリ（１）に何度も格納されることを防ぎ、不揮発性メモリ（１）を保護することにある。
【０００６】
【課題を解決する為の手段】
受信した情報を不揮発性メモリ（１）に格納する制御手段（３）を具え、該制御手段（３）は、先に不揮発性メモリ（１）に格納された情報を新たに受信した情報に更新する機能を具えた情報受信装置に於いて、
制御手段（３）には、受信した情報を一時的に格納するＲＡＭ（２）が接続され、制御手段（３）は受信した情報を、一度ＲＡＭ（２）に格納し、続いて情報受信を少なくとも１回行い、受信した情報がＲＡＭ（２）内の情報と一致したときに、該ＲＡＭ（２）内の情報又は受信した情報を、不揮発性メモリ（１）に格納する機能を有する。
【０００７】
【作用及び効果】
受信した情報は一度ＲＡＭ（２）に格納され、次に制御手段（３）は受信した情報とＲＡＭ（２）内の情報が一致しているか否かを確認する。この確認作業を繰り返し、受信した情報がＲＡＭ（２）内の情報と一致したときに、制御手段（３）は該ＲＡＭ（２）内の情報又は受信した情報を、不揮発性メモリ（１）に格納する。
ＲＡＭ（２）は周知の如く、トランジスタにキャパシタ（コンデンサ）を接続したものを多段に繋いで構成されるから、キャパシタの自然放電により、ＲＡＭ（２）内に蓄積した電荷は次第に消去される、即ち揮発性である。従って、ＲＡＭ（２）に情報を何度格納しても、ＲＡＭ（２）が損傷する虞れは少ない。
不揮発性メモリ（１）には正確な情報のみが格納され、従来のように情報を何度も不揮発性メモリ（１）に書き込むことがないから、不揮発性メモリ（１）は長持ちし、保護される。
【０００８】
【発明の実施の形態】
以下、本発明の一例を図を用いて詳述する。
本例では、デジタルラジオ放送の受信機を例示する。デジタルラジオ放送にあっては、放送波は音声信号に文字情報を重畳しており、音声信号はデジタル圧縮されて、人工衛星又は地上局から送信される。この地上局からの放送波は、高層物の隙間等の人工衛星からの放送波が届きにくい場所に、放送波を補助的に送信する所謂ギャップフィラーとして用いられることが多い。
図１は、本発明のデジタルラジオ放送受信機の内部ブロック図である。アンテナ（５０）、チューナ（５１）を経て受信された放送波は、放送受信ＩＣ（５）に入力される。放送受信ＩＣ（５）にて放送波から音声信号と文字情報が復調される。放送受信ＩＣ（５）に繋がった制御手段（３）は、チャンネル釦（４２）（４２）からの入力を受けて、放送受信ＩＣ（５）を制御して、所望チャンネルの放送を受信する。制御手段（３）には、不揮発性メモリ（１）及びＲＡＭ（２）が接続され、不揮発性メモリ（１）には、放送される音楽カテゴリ等の放送局に関わる情報が、各チャンネル毎に予め格納されている。ＲＡＭ（２）には、放送局に関わる情報が一時的に格納される。ＲＡＭ（２）は、ＤＲＡＭ、ＳＲＡＭの何れでもよいが、トランジスタにキャパシタ（コンデンサ）を接続したものを多段に繋いで構成されるから、揮発性である。本発明にあっては、放送局に関わる情報の更新時に該ＲＡＭ（２）を用いることに特徴がある。
【０００９】
（情報更新動作）
以下に、図２のフローチャートを用いて、本受信機の情報更新動作を説明する。この情報更新動作は、使用者が特定の操作釦（図示せず）を押して、受信機が情報更新モードに設定されたときに行っても、また自動で定期的に行ってもよい。
先ず、制御手段（３）は、放送を受信すると、ポーリング処理（信号検出処理）を行い、放送される音楽のカテゴリ等の放送局に関わる情報を検出する（Ｓ２）。フローチャート内で、以下に示すように、検出した情報とＲＡＭ（２）内の情報の確認を繰り返す回数をＭとし、該繰り返し回数をカウントするカウンタを当初１に設定しておく（Ｓ１）。Ｍは１以上の任意の整数であり、制御手段（３）内に格納されている。
次に制御手段（３）は、検出した情報が、不揮発性メモリ（１）内の情報と一致しているか否かを調べ（Ｓ３）、情報が正確か否か確認する。一致していれば動作を終了し、一致していなければ情報を一時的にＲＡＭ（２）に格納する（Ｓ４）。不揮発性メモリ（１）内の情報が、受信した情報と一致しないときは、放送局に関わる情報が変わったことが考えられる。具体的には、放送局の番組編成が変わり、例えば６０年代ポップスを流していたチャンネルが、７０年代ポップスを流すようになったことが考えられる。
【００１０】
制御手段（３）は、一定時間後に放送局に関わる情報を再度検出する（Ｓ５）。この情報が、先にＲＡＭ（２）に格納された情報と一致するか否かを調べ（Ｓ６）、情報が正確か否か確認する（以下、情報確認処理と呼ぶ）。検出した情報がＲＡＭ（２）内の情報と一致しており、且つ、カウンタの数がＭ以上となれば（Ｓ７）、該情報を不揮発性メモリ（１）に格納する、即ち情報を更新する（Ｓ８）。カウンタの数がＭ未満であれば、検出した情報が正確であることが未だ十分に確認されていないとして、再度ステップ２に戻る。
検出した情報が、先にＲＡＭ（２）に格納された情報と一致していなければ、カウンタに１を加えるとともに（Ｓ９）、再び放送局に関わる情報を検出する（Ｓ２）。先にＲＡＭ（２）に格納された情報と、次に受信した情報が一致しない場合とは、例えば受信機を搭載した車両が、放送波の受信状態が悪い地域に入り、誤った情報を受信している場合が考えられる。
かかる情報確認処理を繰り返し、カウンタの数がＭ以上となれば（Ｓ７）、検出した情報が正確であることが十分に確認されたとして、最後に受信した情報を不揮発性メモリ（１）に格納する、即ち情報を更新する（Ｓ８）。最後に受信した情報に代えて、ＲＡＭ（２）内の情報を不揮発性メモリ（１）に格納してもよい。
情報確認処理を繰り返すことにより、正確な情報を得る確率が高くなる。カウンタの数がＭ以上となっても、受信した情報と、不揮発性メモリ（１）に格納された情報が一致しない場合には、受信状態が悪い状態が続いていることが考えられる。従って、例えば車載用の受信機の場合は、図２のフローチャートには記載していないが、一旦、情報確認処理を強制的に終了する。車両を更に移動させ、放送波の受信状態が悪い地域を通過した後に、再度情報確認処理を繰り返す必要がある。
【００１１】
ＲＡＭ（２）は揮発性であるから、ＲＡＭ（２）に情報を何度格納しても、ＲＡＭ（２）が損傷する虞れは少ない。
本例にあっては、不揮発性メモリ（１）には正確な情報のみが格納され、従来のように情報を何度も不揮発性メモリ（１）に書き込むことがないから、不揮発性メモリ（１）は長持ちし、保護される。
【００１２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
本例では、デジタルラジオ放送の受信機を例示したが、これに限らず、データを受信する装置であれば、用途を問わない。例えば、ＢＳ又は地上波デジタルテレビ放送用の受信機であってもよい。
【図面の簡単な説明】
【図１】デジタルラジオ放送受信機の内部ブロック図である。
【図２】デジタルラジオ放送受信機の動作を示すフローチャートである。
【図３】従来のデジタルラジオ放送受信機の正面図である。
【図４】従来のデジタルラジオ放送受信機の内部ブロック図である。
【図５】（ａ）、（ｂ）は、フラッシュメモリのセル構造を示す図であり、（ａ）は、情報格納状態を、（ｂ）は情報消去状態を夫々示す。
【符号の説明】
（１）    不揮発性メモリ
（２）    ＲＡＭ
（３）    制御手段
【図１】
2004328297.tif 000003
【図２】
2004328297.tif 000004
【図３】
2004328297.tif 000005
【図４】
2004328297.tif 000006
【図５】
2004328297.tif 000007